(57)【要約】【課題】本発明は、アンテナベース（０３４５）と、アンテナベースの上に位置するアンテナ素子（０３３５）とを備えるマイクロ焦点又はナノ焦点Ｘ線発生用のアノードとしての電子アンテナに関する。【解決手段】アンテナ素子はアンテナベースの前面から突出し、アンテナは、アンテナ素子の上部近傍に電子（０３２５）を誘導して引き寄せるように配置される。【選択図】図３Ｂ
2020181832.tif 000002
【特許請求の範囲】
【請求項１】
アンテナベースと、前記アンテナベースの上に位置するアンテナ素子とを備える電子アンテナであって、前記アンテナ素子が、前記アンテナ素子の上部近傍に電子を誘導して引き寄せるように前記アンテナベースの前面から突出している、電子アンテナ。
【請求項２】
前記アンテナベースからの前記アンテナ素子の突出の高さが１μｍ〜５ｍｍであり、前記アンテナ素子の上面が前記アンテナベースの軸に対して５°〜４５°の傾斜角度を有する、請求項１に記載の電子アンテナ。
【請求項３】
ブレード、十字、正方形、長方形、線形セグメント、楕円ディスク、又は円形ディスクの形状のアンテナ素子を備える請求項１又は２に記載の電子アンテナ。
【請求項４】
前記ブレードの幅、前記十字の縦幅、前記長方形の長辺、前記正方形の辺、又は線形セグメント形状が１０ｎｍ〜２００μｍである、請求項３に記載の電子アンテナ。
【請求項５】
前記円形ディスクが２００μｍ以下の半径Ｒを有し、又は前記楕円ディスクが２００μｍ以下の軌道長半径を有する、請求項３に記載の電子アンテナ。
【請求項６】
前記電子アンテナが、単一又は複数のマイクロ焦点又はナノ焦点Ｘ線ビームを発生させるための真空管のアノードの代わりとして機能し、前記アンテナ素子が金属性であり、Ｗ、Ｒｈ、Ｍｏ、Ｃｕ、Ｃｏ、Ｆｅ、Ｃｒ及びＳｃのうち一種以上の金属、又は、Ｗ‐Ｒｅ、Ｗ‐Ｍｏ、Ｍｏ‐Ｆｅ、Ｃｒ‐Ｃｏ、Ｆｅ‐Ａｇ及びＣｏ‐Ｃｕ‐Ｆｅのうち一種以上の合金を備える、請求項１から５のいずれか一項に記載の電子アンテナ。
【請求項７】
前記アンテナベースが、高導電性、高熱伝導性、高融点及び機械加工性を有する物質製である、請求項１から６のいずれか一項に記載の電子アンテナ。
【請求項８】
前記アンテナベースが、Ｃｕ、Ｍｏ及び複合材のうち一種以上の導電性物質を備える、請求項７に記載の電子アンテナ。
【請求項９】
前記アンテナベースが電気絶縁性物質を備え、複数のアンテナ素子が、多重集束スポット管を構成するように前記アンテナベースの上に位置する、請求項１から６のいずれか一項に記載の電子アンテナ。
【請求項１０】
前記電気絶縁性物質がＢＮとＡｌ２Ｏ３とのうち一種以上である、請求項９に記載の電子アンテナ。
【請求項１１】
前記アンテナベースと接触している前記アンテナ素子の一つ以上の面部分が、電気メッキ又は物理気相堆積を用いて、１０μｍ〜５０ｎｍの厚さを有する前記アンテナベースの物質と同じ又は中間の物質の層でコーティングされている、請求項１から１０のいずれか一項に記載の電子アンテナ。
【請求項１２】
金属アンテナ素子がタングステンブレードであり、前記アンテナベースが二つの半シリンダ状銅部分を備え、前記タングステンブレードが前記二つの半シリンダ状銅部分の間に挟まれていて、前記タングステンブレードの第一ブレード端が銅シリンダの前面から突出している、請求項８に記載の電子アンテナ。
【請求項１３】
請求項６から１２のいずれか一項に記載の電子アンテナを備えるＸ線発生デバイス。
【請求項１４】
ホットフィラメントカソードを用いた単一のホットカソードマイクロ焦点又はナノ焦点管である請求項１３に記載のＸ線発生デバイス。
【請求項１５】
電界放出カソードを用いた単一の電界放出カソードマイクロ焦点又はナノ焦点管で構成されている請求項１３に記載のＸ線発生デバイス。
【請求項１６】
電界放出カソード及びホットフィラメントカソードを保持するカソードアセンブリを用いた二重カソードマイクロ焦点又はナノ焦点管である請求項１３から１５のいずれか一項に記載のＸ線発生デバイス。
【請求項１７】
ゲート電極を備える電子エミッタを更に備えることによって、三極電界放出マイクロ焦点又はナノ焦点管となっている請求項１６に記載のＸ線発生デバイス。
【請求項１８】
前記電界放出カソードが、ショットキー放出等の熱アシスト放出を可能にするように更に構成されている、請求項１５から１７のいずれか一項に記載のＸ線発生デバイス。
【請求項１９】
絶縁性アンテナベースを用いた複数の熱電子カソード又は電界放出カソードと電子アンテナ素子とを備える複数の励起源を有するマイクロ焦点又はナノ焦点管である請求項６から１２のいずれか一項に記載のＸ線発生デバイス。
【請求項２０】
前記Ｘ線発生デバイスが回転アノードマイクロ焦点又はナノ焦点管であり、一つ以上のアンテナ素子が回転アンテナベースディスクに同心円状に埋め込まれている、請求項１３に記載のＸ線発生デバイス。
【請求項２１】
前記Ｘ線発生デバイスが回転アノードマイクロ焦点又はナノ焦点管であり、複数のアンテナ素子が回転アンテナベースディスクに半径方向に埋め込まれている、請求項１４に記載のＸ線発生デバイス。
【請求項２２】
Ｘ線セキュリティスキャン装置における、コンピュータトモグラフィスキャン装置における、Ｃアーム型スキャン装置における、小型Ｃアーム型スキャン装置における、地質調査装置における、Ｘ線回折装置における、Ｘ線蛍光発光分光法における、Ｘ線非破壊検査装置における、位相コントラストイメージングにおける、又はカラーコンピュータトモグラフィスキャナにおける請求項１４から２１のいずれか一項に記載のＸ線発生デバイスの使用。
【発明の詳細な説明】
【技術分野】
【０００１】
本開示の例示的実施形態は、電子誘導及び受取素子、又は、アンテナ素子及びアンテナベースを備える電子アンテナを対象とし、電子を通信用の信号としてではなくて、電磁放射用の刺激として受けるように構成されている。更に、例示的実施形態は、上記電子アンテナを備えるＸ線管並びに他の波長の応用を対象とする。
【背景技術】
【０００２】
現代社会で用いられている大抵のデバイスや機器は、本質的には、電子を或る箇所から他の箇所へ移動させる結果としてのものである。その運動の形態は、並進移動、振動、一定、加速／減速であり、運動の論理的制御が、デバイスや機器の機能や種類を定める。運動に対する基本的な制約は、電荷の保存、連続性、中性の法則である。固体デバイスでは、電源で確立された電位が、デバイスの活性部品を通過してデバイスの機能を達成するように電子を駆動して、電源に戻す。真空デバイスでは、電子は電子エミッタ又はカソードから真空（真空中では、電子を、静的な又は振動する電磁場を印加することによって操作することができる）中に放出されて、電子受取素子又はアノードによって収集される。その受取プロセスは、入射電子のエネルギー及び運動量をアノード物質の電子及び核に伝達し、その結果として電磁放射を発生させることを特徴とする。光子のエネルギー及び運動量は放射の粒子的側面を象徴するものであり、波長及び周波数は放射の波動的側面を象徴するものである。入射電子の運動エネルギーが、有用又は有害となり得る放射の最小波長を決定し、Ｘ線の場合、波長のスパンは１０ｎｍから０．０１ｎｍまで又はそれ以下である。Ｘ線源はそのような波長を利用するデバイスである。
【０００３】
Ｘ線源又はＸ線管は、電子エミッタ又はカソードと、電子レシーバ又はアノードとを備える。アノードはＸ線エミッタである。カソード及びアノードは特定の構成で配置され、真空筐体内に封止される。Ｘ線発生器は、Ｘ線源（管）及びその電力装置を備えるデバイスである。Ｘ線機器又はシステムは以下の構成要素を備える：１）Ｘ線源、２）コンピュータ化された操作及び取扱デバイス、３）一つ以上の検出器、及び、４）一つ以上の電力装置。
【０００４】
Ｘ線は、特に医療イメージング、セキュリティ検査、産業用非破壊検査において応用される。コンピュータ技術が現在社会におけるＸ線の使用に革命をもたらしており、例えば、Ｘ線ＣＴ（ｃｏｍｐｕｔｅｄ  ｔｏｍｏｇｒａｐｈｙ，コンピュータトモグラフィ）スキャナが挙げられる。検出器技術における進展が、エネルギー及び空間分解能の向上、デジタルイメージ、連続的に増加しているスキャン領域を可能にしてきた。しかしながら、Ｘ線を発生させるための技術は、略１００年前にウィリアム  Ｄ．クーリッジがガス充填管をホットタングステンフィラメントを収容する真空管に置き換えて熱電子放出を利用するようにすることによってＸ線を発生させる方法に革命をもたらしたクーリッジ管の誕生以来、実質的には同じである（特許文献１）。そのＸ線を発生させるための同じ物理が今日でも使用されている。クーリッジ管の二つの重要な構成要素は、タングステン（Ｗ）の螺旋フィラメントのカソードと、銅（Ｃｕ）シリンダに埋め込まれたＷディスクのアノードとであるが、今日のＸ線管でも同じに見えて、同じように機能し、はっきり言えば、特許文献２及び特許文献３の固定アノードＸ線管である。
【０００５】
過去二十年程において、新たな分類のナノ物質の出現が、電界放出カソードの基礎研究及び応用の発展を加速させてきた。従来技術のＸ線デバイスに開示されているようなＣＮＴに基づいた電界放出カソードについては、その電子ビームの全電流が、所定の応用ではホットカソードに対抗するには低過ぎることが多い。このことは、原理的にはカソードの面積を増大させることによって改善可能である。しかしながら、より大きなカソード面積は、当然に集束スポット（焦点）サイズの増大と、イメージの空間分解能の劣化、つまり望ましくない結果をもたらす。集束スポットサイズが小さくなるほど、イメージの空間分解能が高くなることは周知である。同様に、ホットカソードＸ線管については、集束スポットサイズを所謂微小焦点（マイクロ焦点）範囲に減少させるために、強力な磁気レンズを用いて、カソードとアノードとの間の空間中を伝播する電子ビームを集束させる。結果として、集束スポット下のアノードの領域が、固体であることを維持するには高過ぎる熱負荷に晒され得る。アノードの溶融は管の死である。より小さな集束スポットに対する要求と、結果としての集束スポットに対するより高いパワー負荷との間のトレードオフに折り合いをつけるための多数の解決策が存在している。電磁レンズを用いるものの他に、他の種類の解決策が特許文献４に開示されていて、液体金属ジェットアノードを用いている。ジェット中の液体金属の循環が、電子ビームが発生させた熱を熱浴に運ぶ。しかしながら、このような源の高真空条件は、真空システムを連続的にポンピングすること、つまり「オープンチューブ」によって維持されるので、小型であること及び移動性に対する要求が支配的である多くの産業及び医療応用に適合するには、デバイス全体が嵩張り過ぎ、また複雑過ぎる。
【先行技術文献】
【特許文献】
【０００６】
【特許文献１】米国特許第１２０３４９５号明細書（１９１３年５月９日出願、「Ｖａｃｕｕｍ‐ｔｕｂｅ」）
【特許文献２】米国特許第１３２６０２９号明細書（１９１７年１２月４日出願、「Ｉｎｃａｎｄｅｓｃｅｎｔ  ｃａｔｈｏｄｅ  ｄｅｖｉｃｅ」）
【特許文献３】米国特許第１１６２３３９号明細書（１９１２年８月２１日出願、「Ｍｅｔｈｏｄ  ｏｆ  ｍａｋｉｎｇ  ｃｏｍｐｏｓｉｔｅ  ｍｅｔａｌ  ｂｏｄｉｅｓ」）
【特許文献４】米国特許出願公開第２００２／００１５４７３号明細書
【特許文献５】国際公開第２０１５／１１８１７８号
【特許文献６】国際公開第２０１５／１１８１７７号
【非特許文献】
【０００７】
【非特許文献１】ＩＥＥＥ  Ｓｔａｎｄａｒｄ  ｄｅｆｉｎｉｔｉｏｎｓ  ｏｆ  Ｔｅｒｍｓ  ｆｏｒ  Ａｎｔｅｎｎａｓ：  ＩＥＥＥ  Ｓｔａｎｄａｒｄ  １４５‐１９９３，  ＩＥＥＥ，  ２８  ｐｐ．，  １９９３
【発明の概要】
【発明が解決しようとする課題】
【０００８】
本出願人の以前の特許出願である特許文献５及び特許文献６では、革新的なタイプのＣＮＴに基づかない電子エミッタが、Ｘ線発生用の熱電子放出以外の放出機構を可能にすることが開示され、そして革新的なＸ線デバイスが開示されていて、そのような源の新規で有利な特徴をＸ線イメージングにもたらしている。
【０００９】
本願では、根本的に新規な概念の電子アンテナが提案され、電磁放射を発生させるための真空デバイスのアノードの観念を覆す。本願は、Ｘ線発生用のアノードの代わりとして電子アンテナを提供し、また、上記電子アンテナを備えるマイクロ焦点又はナノ焦点Ｘ線管を提供する。
【００１０】
カソードの対向電極であるアノードは、Ｘ線管の重要な構成要素の一つであり、その機能は、カソードから放出された電子を受けて、Ｘ線を放出することであり、それと同時に、熱（Ｘ線発生プロセスの副産物）を周囲環境に伝えることができる。電子ビームがアノードに当たる領域は集束スポット（焦点）と呼ばれる。固定アノード管では、アノードは、小型タングステンディスクがより大きな銅シリンダに埋め込まれたもので作製され、それらの前面は同一平面上にあり、その構造及び作製方法は、１９１２年にウィリアム  Ｄ．クーリッジによって発明されたものであり、特許文献３に開示されている。このような従来技術のＸ線管では、集束スポットの形状は、ディスクの表面、好ましくは中心に対するカソードの投影像であり、集束スポットのサイズ及び位置は、カソードとアノードとの間の空間中の電磁場によって、電磁レンズを用いて又は用いずに決定される。アノードは、カソードから放出された数の電子を忠実に受けるが、電子をステアリングしたり分布させたりするために何かを行うことは全くできない。つまり、アノードは集束スポットサイズの決定に関して何も行わない。
【００１１】
本開示の実施形態はこれを変える。電子アンテナの概念をＸ線管の再設計に適用することによって、アノードを集束スポットサイズを決定する立場に置く。また、電子アンテナの概念を用いて、マイクロ焦点又はナノ焦点紫外線ビーム又は可視光ビームを生成することもできる。従って、本概念は、電子アンテナの物質及び／又は構造に応じて、多様な波長のマイクロ焦点又はナノ焦点放射ビームを生成するように働く。いくつかの例示的な実施形態を以下で説明する。
【００１２】
アンテナは、「電磁波を放射又は受けるように設計された送受信システムの一部」として定義される（より完全には非特許文献１を参照）。一般的に、受信アンテナは、アンテナ素子とアンテナベースとを備える。前者は、信号を最も効率的に受信するように構造化及び構成され、後者は、前者の支持体として機能し、また、信号を更に送信する。電子アンテナは、その名の通り、電子を最も効率的に受けるためのものである。正確に言うと、アンテナ素子は、それに向かってくる全ての電子を受けて所定の領域内に閉じ込めるように構造化及び構成され、アンテナベースは電気及び熱を伝えるように構造化及び構成される。自明だとは思うが、以下の点を指摘しておく：１）電子アンテナが受ける物理的対象は電磁放射ではなくて、電子のビームであること；２）受け取られた電子は通信用の信号として用いられるのではなく、電磁放射用の刺激として用いられる。従って、アンテナという概念に、上記二つの拡張を介した新たな意味合いが与えられる。
【００１３】
Ｘ線管の再設計において、電子アンテナの概念は、例示的な一実施形態では、アノードとして機能するＣｕシリンダと同一平面上のＷディスクを、アンテナ素子として機能するＣｕシリンダから突出する薄い金属ブレードに置換することによって実施される。アンテナ素子の突出及び高アスペクト比が、アンテナ素子の上端において電場の局所的な増強を生じさせ、電気力線を上端に集中させる。従って、アンテナ素子は、全ての電子をそれに向けて引き寄せる又は誘導することができ、アンテナベースに電子が入射しないようにすることができる。結果として、Ｘ線は、アンテナ素子の上面の領域内のみにおいて発生可能であり、つまり、集束スポットの幾何学的特徴がアンテナ素子によって決定される。以上のように、Ｘ線発生に関する従来技術のディスクアノードと電子アンテナとの基本的な相違点は、ディスクアノードはカソードからの数の電子を受動的に受けるが、集束スポットサイズを決定せず、一方、電子アンテナは、電子をそれに向けて能動的に誘導して引き寄せて、集束スポットサイズを決定するという点にある。
【００１４】
従って、本開示の例示的実施形態の少なくとも一つの目的は、根本的に新規な概念の電子アンテナを導入すること、また、電子ビームを誘導及び集束させて、アンテナ素子において電子を収集して、アンテナ素子の上面の領域（その長さスケールはミリメートルからナノメートルまでと様々であり得る）内でＸ線を発生させるための根本的に異なる機構及び技術を提供することである。このようにして、集束スポットサイズが、アンテナ素子の上面のサイズを決して超えないサイズに制御され、集束スポットサイズが、カソードの形状及びサイズにあまり依存しなくなる。電子アンテナを備えるＸ線管は、ドリフトの無いマイクロ焦点又はナノ焦点性能を提供し、はるかに小型で、安価であり、耐久性があり、多用途である。このことは、同じ電子アンテナ方を用いる真空管での紫外線及び可視光の生成にも当てはまる。
【００１５】
従って、本開示の例示的実施形態は、Ｘ線集束スポットの位置、形状及び寸法を定め、Ｘ線発生の副産物として発生する熱を散逸させるアンテナ素子及びアンテナベースを備える電子アンテナを対象としている。更に、例示的実施形態は、上記電子アンテナを備えるＸ線管を対象としている。以下で説明するようにアンテナ素子を多様な物質や構造で置換することによって、紫外線又は可視光を生成することができる。
【００１６】
［アンテナ素子］
従来のアノードのようにディスクの形状にする代わりに、アンテナ素子は、例示的な一実施形態では薄いブレードの形状にされる。より多くの例示的な実施形態が以下で与えられる。
【００１７】
ブレードの断面の寸法及び傾斜角度が、Ｘ線ビームの集束スポットの寸法を定める。
【００１８】
アンテナ素子は、多様な金属や合金、例えば、ＷやＷ‐Ｒｅ製となり得る。
【００１９】
更に、アンテナ素子は、Ｘ線集束スポットの形状の要求に合うように多様な形状で作製可能である。
【００２０】
更に、アンテナ素子は、ミリメートルスケールからナノメートルスケールまでの範囲内でＸ線集束スポットのサイズの要求に合うように多様なサイズで作製可能である。
【００２１】
更に、アンテナ素子は、例示的な一実施形態では、各金属又は合金の薄いシートのＥＤＭ（放電加工，ｅｌｅｃｔｒｉｃａｌ  ｄｉｓｃｈａｒｇｅ  ｍａｃｈｉｎｉｎｇ）や穴開けによって製造可能である。
【００２２】
［アンテナベース］
アンテナ素子は、多様な金属、合金、化合物、複合材、好ましくは、高導電性、高熱伝導性、高融点、機械加工性、成形性を有するもので作製可能である。
【００２３】
［アンテナ素子とアンテナベースの融合］
ベースと接触しているアンテナ素子の面は、ベースと同じ物質、又はベースとアンテナ素子との間の中間の物質の薄層でコーティング可能であり、アンテナ素子とベースとの間の熱親和性及び／又は電気親和性を向上させる。
【００２４】
アンテナ素子とアンテナベースの融合又は接合は、ねじ及び／又はピボットから与えられる機械的圧力によって、又は真空鋳造によって行われ得る。
【００２５】
［Ｘ線管の構成］
アンテナは、通常の固定アノードＸ線管や回転アノードＸ線管と同じカソードカップに対する空間的関係性で構成される。
【００２６】
［Ｘ線デバイス］
本開示の例示的実施形態は上記電子アンテナを備えるＸ線デバイスを対象としている。
【００２７】
上記電子アンテナを備えるＸ線デバイスは、一つのホットフィラメントカソードと組み合わせて、単一のホットカソードマイクロ焦点又はナノ焦点管で構成可能である。
【００２８】
上記電子アンテナを備えるＸ線デバイスは、一つの電界放出カソードと組み合わせて、単一の電界放出カソードマイクロ焦点又はナノ焦点管で構成可能である。
【００２９】
また、上記電子アンテナを備えるＸ線デバイスは、一つの電界放出カソードと一つのホットフィラメントカソードを保持するカソードカップと組み合わせて、二重カソードマイクロ焦点又はナノ焦点管でも構成可能である。
【００３０】
また、上記電子アンテナを備えるＸ線デバイスは、絶縁性アンテナベースを用いる場合には、複数の（熱電子又は電界放出）カソード及び電子アンテナ素子を備える複数の励起源を有するマイクロ焦点又はナノ焦点管でも構成可能である。
【００３１】
更に、上記電子アンテナを備えるＸ線デバイスは、ゲート電極を備える電子エミッタと組み合わせて、三極電界放出マイクロ焦点又はナノ焦点管で構成可能である。
【００３２】
更に、電界放出カソードは、ショットキー放出等の熱アシスト放出を可能にするように構成可能である。
【００３３】
上記電子アンテナを備えるＸ線デバイスは、単一又は複数のアンテナ素子を回転ディスクに円形に埋め込む場合に、一つのタイプの回転アノードマイクロ焦点又はナノ焦点管で構成可能である。
【００３４】
上記電子アンテナを備えるＸ線デバイスは、複数のアンテナ素子を回転ディスクに等角度間隔で半径方向（放射状）に埋め込む場合に、他のタイプの回転アノードマイクロ焦点又はナノ焦点管で構成可能である。
【００３５】
［実施形態の例示的利点］
上記電子アンテナの機構や技術の使用は、より単純でより経済的な方法で、より小型のマイクロ焦点又はナノ焦点管を可能にする。また、上記電子アンテナの使用は、このタイプのマイクロ焦点管を、従来はマクロ焦点管が支配的であった応用において使用することも可能にする。
【００３６】
［応用］
一部の例示的実施形態は、セキュリティＸ線スキャン装置における上述のＸ線発生デバイスの使用を対象としている。
【００３７】
一部の例示的実施形態は、非破壊検査における上述のＸ線発生デバイスの使用を対象としている。
【００３８】
一部の例示的実施形態は、全身若しくは一部又は器官のスキャン用の医療用イメージング装置、例えば、コンピュータトモグラフィスキャナ、（小型）Ｃアーム型スキャン装置、マンモグラフィ、アンギオグラフィ、歯科用イメージングデバイス等における上述のＸ線発生デバイスの使用を対象としている。
【００３９】
一部の例示的実施形態は、地質調査装置、回折装置、蛍光発光分光法における上述のＸ線発生デバイスの使用を対象としている。
【００４０】
一部の例示的実施形態は、Ｘ線位相コントラストイメージングにおける上述のＸ線発生デバイスの使用を対象としている。
【００４１】
一部の例示的実施形態は、Ｘ線カラーＣＴイメージングにおける上述のＸ線発生デバイスの使用を対象としている。
【００４２】
電子アンテナは、マイクロ焦点又はナノ焦点紫外線ビーム生成用のアノードにもなり得て、そのアンテナ素子は、アンテナ素子の上面に配置された一つ以上の量子井戸や量子ドットを備える。紫外線発生デバイスがそのような電子アンテナを備え得る。
【００４３】
紫外線発生デバイスは、回転アノードマイクロ焦点又はナノ焦点管であり得て、一つ以上のアンテナ素子が回転アンテナベースディスクに円形に埋め込まれる。
【００４４】
電子アンテナは、マイクロ焦点又はナノ焦点可視光ビーム生成用のアノードにもなり得て、そのアンテナ素子は、アンテナ素子の上面に配置された燐光物質又は蛍光物質の層を備える。可視光発生デバイスがそのような電子アンテナを備え得る。
【００４５】
可視光発生デバイスは、回転アノードマイクロ焦点又はナノ焦点管であり得て、一つ以上のアンテナ素子が回転アンテナベースディスクに円形に埋め込まれる。
【００４６】
以上の点は、添付図面に示されるような例示的実施形態の以下のより具体的な説明から明らかとなるものであり、図面においては、同じ参照符号が図面全体にわたって同じ部分を指称している。図面は必ずしも縮尺通りではなく、例示的実施形態を示すために誇張されている。
【図面の簡単な説明】
【００４７】
【図１Ａ】従来技術のＸ線管を概略的に示すものであり、従来のアノードを備え、マクロ焦点ではないＸ線管の概略図である。
【図１Ｂ】従来技術のＸ線管を概略的に示すものであり、従来のアノード及び電磁レンズを備えるマイクロ焦点Ｘ線管の概略図である。
【図１Ｃ】従来技術のＸ線管を概略的に示すものであり、液体金属ジェットアノードを用いるマイクロ焦点Ｘ線発生を示す。
【図２】本開示の一部の例示的実施形態に係る電子アンテナ素子の例示的な例である。
【図３Ａ】本開示の一部の例示的実施形態に係るアンテナ素子及びアンテナベースを備える電子アンテナの概略図である。
【図３Ｂ】電子アンテナと、それが電子を誘導して受けるための物理的原理との模式図である。
【図４】本開示の一部の例示的実施形態に係る電子アンテナ素子が有し得る多様な形状の模式的例である。
【図５】例示的な一実施形態における単一のアンテナ素子用の導電性アンテナベース、例えばＣｕの模式図である。
【図６】本開示の一部に例示的な実施形態に係るアンテナベースが絶縁性物質、例えば、ＢＮやＡｌ２Ｏ３製である場合の複数のアンテナ素子を備える電子アンテナの概略図である。
【図７】一つのホットカソード及び電子アンテナを備えるＸ線管の概略図である。
【図８】一つの電界放出カソード及び電子アンテナを備えるＸ線管の概略図である。
【図９】二重カソード、つまり一つの電界放出カソード及び一つのホットフィラメントカソードと、電子アンテナとを備えるＸ線管の概略図である。
【図１０】電界放出カソードと、ゲート電極と、電子アンテナとを備えるＸ線管の概略図である。
【図１１Ａ】本開示の一部の例示的実施形態に係る電子アンテナを用いる二タイプの回転アノード管の解決策を示す図である。
【図１１Ｂ】本開示の一部の例示的実施形態に係る電子アンテナを用いる二タイプの回転アノード管の解決策を示す図である。
【発明を実施するための形態】
【００４８】
以下の説明では、説明目的であって、限定的ではないものとして、例示的実施形態の完全な理解を提供するために、具体的な詳細、例えば、特性の構成要素、素子、方法等を与える。しかしながら、そのような具体的な詳細からは一見逸脱しているが固有に関連している他の方法でも例示的実施形態が実施可能であることは当業者に明らかである。場合によっては、例示的実施形態の説明を曖昧にしないために、周知の方法や素子の詳細な説明を省略する。本願で用いられている用語は、例示的な実施形態を説明する目的のものであり、本開示の実施形態を限定するものではない。
【００４９】
［課題］
例示的実施形態をより良く説明するために、まず課題を認識して検討する。図１Ａは、従来のＸ線管を示す。図１ＡのＸ線管は、ホットフィラメントカソード０１１０と、Ｃｕシリンダ０１３０に埋め込まれたＷディスクアノード０１２０とを備える真空ガラス管０１００を特徴としている。アノード０１２０の面は、所定の傾斜角度又はアノード角度でカソード０１１０と向き合っている。電源０１４０によって与えられる電流は、フィラメントカソード０１１０を通過して、フィラメント０１１０の温度をそのフィラメントから電子のビーム０１５０を放出するレベルに上昇させる。次いで、ビーム０１５０中の電子は、電源０１６０によって与えられる電位差によってアノード０１２０に向けて加速される。結果としてのＸ線ビーム０１７０は窓０１８０を介してデバイスの外に向けられる。カソードとアノードとの間の電圧が、Ｘ線ビームのエネルギーを決定するが、マイクロ焦点ではない。典型的な「二重バナナ」形状の集束スポットが０１９０で示されている。
【００５０】
図１Ｂは、送信アノード０１２０及び電磁レンズ０１４５を備える従来技術のマイクロ焦点Ｘ線デバイスの概略図である。レンズが管０１００に余分なサイズ、重量及びコストを追加し、レンズを駆動させて、管の出力電圧と同期させるために追加の電源０１６５を必要とする。従って、このタイプのマイクロ焦点管は、サイズと重量とコストに関する問題と、Ｘ線ビームの横ドリフトに関する問題を有する。更なる情報については、例えば、www.phoenix-xray.comを参照。
【００５１】
図１Ｃは、液体金属ジェットアノード０１７５を用いる従来技術のマイクロ焦点Ｘ線発生の概略図である。電子ビーム０１５０が液体金属ジェット０１７５に当たり、Ｘ線ビーム０１７０をもたらす。液体金属ジェットアノードは所謂オープンチューブを必要とし、これは、管の連続的ポンピングによって高真空条件が維持されることを意味する。このような解決策は嵩張り高価である。また、アノード物質は、低融点の金属に限定される。更なる情報については、例えば、www.excillum.comを参照。
【００５２】
［例示的実施形態］
本開示の例示的実施形態は、電子誘導及び受取素子、つまり、アンテナ素子及びアンテナベースを備える電子アンテナを対象としていて、通信用の信号としてではなくて、電磁放射用の刺激として電子を受けるように構成される。更に、例示的実施形態は、上記電子アンテナを備えるＸ線管を対象としている。
【００５３】
電子アンテナはアンテナ素子及びアンテナベースを備える。アンテナ素子は、それに向かう全ての電子を受けて、所定の領域内に閉じ込めるように構造化及び構成される。一方、アンテナベースは、熱及び／又は電気を伝えるように構造化及び構成される。
【００５４】
［アンテナ素子］
図２は、本開示の一部の例示的実施形態に係る薄いブレードの形状にされた電子アンテナ素子０２００の模式的例を、電子を受けるためのその素子の上面又は上端０２１０と共に示す。０２２０はアンテナ素子の二つの面を指称し、θは傾斜角度又はアノード角度を示し、ｔはブレードの厚さを示し、Ｌは上面の長さを示す。上面の最大長さは１０ｍｍであり、１０ｍｍからナノメートルまでと様々であり得る。アノード角度θは、数度、例えば５度から４５度までの間で様々であり得る。ブレードの断面の寸法及び傾斜角度θが、Ｘ線ビームの集束スポットの寸法を定め、ブレードの幅が集束スポットの幅を限定し、集束スポットの長さがｌ＝Ｌｓｉｎθで限定されるようにする。孔０２３０は、アンテナベースに対して素子を位置決め及び固定するためのものである。アンテナ素子のＬ及びｔは、Ｘ線集束スポットのサイズの要求に合うように多様なサイズにされ得る。好ましい範囲は、（Ｌ＝１０ｍｍ，ｔ＝０．１ｍｍ）から、半径１０ｎｍのディスクまでである。しかしながら、高パワー応用では、集束スポットの面積は８×８ｍｍ２もの大きさとなり得る。
【００５５】
図３Ａは、本開示の例示的な一実施形態に係る電子アンテナの概略図であり、０３００はブレード形状のアンテナ素子であり、アンテナベース０３２０を形成する二つの半シリンダ状ブロック０３１０の間に挟まれていて、アンテナ素子０３００の二つの面０２２０がアンテナベース０３２０と接触している。例示的な一実施形態では、二つの半シリンダ状Ｃｕブロック０３１０がアンテナベース０３２０として機能する。ブレードの上部は、シリンダ０３３０の傾斜前面に平行に突出するように構成される。突出の高さｈは０．００１〜５ｍｍの範囲内であり、集束スポットサイズに比例して決定される。アスペクト比は、高さを幅で割ったものｈ／ｔとして定義され、１０〜１００の範囲内である。
【００５６】
図３Ｂは、ホットフィラメントカソード及び電子アンテナのアセンブリの概略側面図を示し、また、アンテナの誘導及び集束原理を示す。アセンブリは、カソードカップ０３０５と、ホットフィラメント０３１５と、電子ビーム０３２５と、電子アンテナ素子０３３５と、アンテナベース０３４５とを備える。見て取れるように、電子ビーム全体がアンテナ素子０３３５上に集束される。
【００５７】
アンテナ素子は、具体的な応用の要求に合うように多様な金属（Ｗ、Ｒｈ、Ｍｏ、Ｃｕ、Ｃｏ、Ｆｅ、Ｃｒ、Ｓｃ等が挙げられるがこれらに限定されない）、又は合金（Ｗ‐Ｒｅ、Ｗ‐Ｍｏ、Ｍｏ‐Ｆｅ、Ｃｒ‐Ｃｏ、Ｆｅ‐Ａｇ、Ｃｏ‐Ｃｕ‐Ｆｅ等が挙げられるがこれらに限定されない）で作製可能である。
【００５８】
図４は、本開示の一部の例示的実施形態に係る電子アンテナ素子が有し得る多様な形状の模式図である。アンテナ素子の上面は、Ｘ線集束スポットの形状の要求に合うように多様な形状にされ得て、十字０４１０、円形ディスク０４２０、楕円ディスク０４３０、正方形０４４０、長方形０４５０、いくつかの種類の線形セグメント０４６０〜０４８０が挙げられるがこれらに限定されない。０４９０は０４８０の上面図であるので、アンテナ素子全体ともいえる。上面の縁は、局所的電場の具体的な分布に対する特定の要求を満たすように平滑にされ得る。上面の形状は、アンテナ素子の断面の形状を直接又は間接に反映していることに留意されたい。
【００５９】
円形ディスクの直径、楕円ディスクの軌道長半径（ｓｅｍｉ‐ｍａｊｏｒ  ａｘｉｓ）、正方形の辺、長方形の長辺は、１０ｎｍ〜１０ｍｍとなり得る。
【００６０】
［アンテナベース］
アンテナベースは、多様な金属、合金、化合物又は複合材、好ましくは、高導電性、高熱伝導性、高融点、機械加工性や成形性を有するもので作製される。好ましい実施形態では、その物質として、Ｃｕ、Ｍｏ、ＢＮ、Ａｌ２Ｏ３が挙げられるがこれらに限定されない。
【００６１】
図５は、例示的な一実施形態における単一アンテナ素子用の導電性アンテナベース、例えばＣｕの模式図であり、０５１０はアンテナベースの側面図であり、０５２０はアンテナベースの上面図である。導電性ベースの利点は、電気フィードスルーとして使用可能であるという点である。
【００６２】
図６は、本開示の一部の例示的実施形態に係る電気絶縁性物質、例えばＢＮやＡｌ２Ｏ３製のアンテナベースの概略図であり、０６１０はアンテナ素子の側面図であり、０６２０は、絶縁性アンテナベース０６３０として機能するＢＮ又はＡｌ２Ｏ３のブロック同士の間に平行に挟まれた複数のアンテナ素子のうち一つである。この場合、多重集束スポット管を構成するように複数のアンテナ素子をアセンブリすることができる。これらアンテナ素子０６２０は必ずしも同じ物質で作製されるものではないことに留意されたい。
【００６３】
［アンテナ素子とアンテナベースの融合］
ベースと接触しているアンテナ素子の面を、ベースと同じ物質、又はベースとアンテナ素子との間の中間の物質の薄層でコーティングして、アンテナ素子とベースとの間の熱親和性及び／又は電気親和性を向上させることができる。その層は、１０μｍから５０ｎｍまでの間の厚さを有し得る。
【００６４】
アンテナ素子とアンテナベースの融合又は接合は、ねじ及び／又はピボットから与えられる機械的圧力によって、又は真空鋳造によって行われ得る。
【００６５】
［Ｘ線管の構成］
本アンテナは、通常の固定アノードＸ線管や回転アノードＸ線管と同じカソードカップに対する空間的関係で構成される。
【００６６】
［Ｘ線デバイス］
本開示の例示的実施形態は、上記電子アンテナを備えるＸ線デバイスを対象としている。前半の図面のものと変わりがない後半の図面におけるＸ線デバイスの特徴には同じ番号が付されている。
【００６７】
上記電子アンテナを備えるＸ線デバイスは、一つのホットフィラメントカソードと組み合わせて、単一のホットカソードマイクロ焦点又はナノ焦点管で構成可能である。
【００６８】
図７は、単一のホットカソード０１１０及び電子アンテナを備えるそのようなＸ線管の概略図であり、０７２０はアンテナ素子を示し、０７３０はアンテナベースを示す。
【００６９】
上記電子アンテナを備えるＸ線デバイスは、一つの電界放出カソードと組み合わせて、単一の電界放出カソードマイクロ焦点又はナノ焦点管で構成可能である。
【００７０】
図８は、一つの電界放出カソード０８１０と、一つのアンテナ素子０７２０及びアンテナベース０７３０を備える電子アンテナとを備えるそのようなＸ線管の概略図である。
【００７１】
また、上記電子アンテナを備えるＸ線デバイスは、一つの電界放出カソード及び一つのホットフィラメントカソードを保持するカソードカップと組み合わせて、二重カソードマイクロ焦点又はナノ焦点管で構成可能である。
【００７２】
図９は、二重カソード（つまり、一つの電界放出カソード及び一つのホットフィラメントカソード）と、アンテナ素子０７２０及びアンテナベース０７３０を備える電子アンテナとを備えるそのようなＸ線管の概略図であり、０９１０が二重カソードを保持するカソードカップを示し、０１４０がホットフィラメントカソード用の電力装置を示す。
【００７３】
また、上記電子アンテナを備えるＸ線デバイスは、絶縁性アンテナベースが用いられる場合に、複数の（熱電子又は電界放出）カソード及び電子アンテナ素子を備える複数の励起源を有するマイクロ焦点又はナノ焦点管でも構成可能である。このような多重素子アンテナの概略図について図６を参照すると、０６２０はアンテナ素子であり、０６３０はアンテナベースである。
【００７４】
更に、上記電子アンテナを備えるＸ線デバイスは、ゲート電極を備える電界電子エミッタと組み合わせて、三極電界放出マイクロ焦点又はナノ焦点管で構成可能である。
【００７５】
図１０は、電界放出カソード０８１０及びその電力ユニット０８２０と、ゲート電極１０１０と、アンテナ素子０７２０及びアンテナベース０７３０を備える一つの電子アンテナとを備えるそのようなＸ線管の概略図である。
【００７６】
電界放出カソードは、ショットキー放出等の熱アシスト放出を可能にするように更に構成可能である。
【００７７】
上記電子アンテナを備えるＸ線デバイスは、単一又は複数のアンテナ素子が回転ディスクに円形に挟まれる場合に、一つのタイプの回転アノードマイクロ焦点又はナノ焦点管で構成可能である。
【００７８】
図１１Ａは、本開示の一部の例示的実施形態に係るそのタイプの回転アノードの解決策を示す。１１１０はアンテナベースとして機能する回転ディスクを示し、１１２０及び１１３０は、アンテナベースに挟まれた二つの円形アンテナ素子である。アンテナベース１１１０は上から見たものである。他の実施形態では二つよりも多くのアンテナフィラメントが存在し得る。複数のアンテナ素子の物質は異なってもよい。
【００７９】
上記電子アンテナを備えるＸ線デバイスは、複数のアンテナ素子が回転ディスクに等角度間隔で半径方向（放射状）に挟まれる場合に、他のタイプの回転アノードマイクロ焦点又はナノ焦点管で構成可能である。
【００８０】
図１１Ｂは、本開示の一部の例示的実施形態に係るそのタイプの回転アノードの解決策を示す。１１０５は複数のアンテナ素子のうち一つを示し、１１１５はアンテナベースとして機能する回転ディスクを示し、１１２５はアンテナ素子同士の間の角度間隔を示し、αがその値を示す。アンテナ素子の数は、電子放出のパルス周波数及び回転速度によって決められる。アンテナベース１１１５は上から見たものである。
【００８１】
［実施形態の例示的利点］
電子アンテナの概念及びそのＸ線管再設計における使用は、液体ジェットアノード法や従来のカソードとアノードとの間の電磁レンズを用いる方法よりも単純で経済的な方法で、より小型のマイクロ焦点又はナノ焦点Ｘ線管を可能にする。後者では、集束スポットサイズをナノメートル範囲に集束させることができるが、集束スポットのドリフトが顕著なものになり得て、その要因は特にレンズとカソードとアノードに印加される電圧の不安定である（２０１５年１月のＸ‐ＲＡＹ  ＷｏｒＸ社のニュースレター）。上記電子アンテナの使用は、ドリフトの無い集束スポットをミリメートルからナノメートルスケールの範囲内のサイズで提供することを可能にする。固体アンテナベースに機械的に固定されていて動かない電子アンテナによって集束スポットサイズが決定されることによって、ドリフトの無い集束スポットが保証される。また、アンテナ素子の形状及びアンテナベースに対する大きな接触面積が、優れた熱管理解決策を提供する。また、上記電子アンテナの使用は、その結果のマイクロ焦点管を、従来はマクロ焦点管が支配的であった応用において使用することも可能にする。
【００８２】
［応用］
本開示のＸ線デバイスが多数の分野において使用可能であることを理解されたい。例えば、空港のセキュリティスキャンやポストターミナルで見かけられるように、Ｘ線デバイスはセキュリティスキャン装置において使用可能である。
【００８３】
本開示のＸ線デバイスの更なる例示的な使用は、医療用スキャンデバイス、例えばコンピュータトモグラフィ（ＣＴ）スキャン装置やＣアーム型スキャン装置（小型Ｃアーム装置を含み得る）等におけるものである。Ｘ線デバイスのいくつかの例示的応用は、マンモグラフィ、獣医学イメージング、歯科用イメージングであり得る。
【００８４】
本開示のＸ線デバイスの更なる例示的な使用は、地質調査装置、Ｘ線回折装置、Ｘ線蛍光発光分光法等におけるものである。
【００８５】
本開示のＸ線デバイスは、あらゆる非破壊検査装置において使用可能であることを理解されたい。
【００８６】
本開示のＸ線デバイスは、位相コントラストイメージングやカラーＣＴスキャナにおいても使用可能であることを理解されたい。
【００８７】
上述のように、電子アンテナは、Ｘ線以外の波長の放射の生成にも役立つ。Ｘ線ビームの生成についての上記説明の金属電子アンテナ素子を、紫外線放出物質（量子井戸や量子ドット等）を備えるアンテナ素子に置換することによって、紫外線の生成が可能となる。紫外線ビームの焦点の改善は、Ｘ線ビームと同様の利点を有する。固体アンテナベースに機械的に固定されて動かない電子アンテナ素子によって集束スポットサイズが決定されることによって、ドリフトの無い集束スポットが保証される。また、アンテナ素子の形状及びそのアンテナベースに対する大きな接触面積が優れた熱管理解決策を提供する。また、上記電子アンテナの使用は、その結果のマイクロ焦点管を、従来はマクロ焦点管が支配的であった応用において使用することを可能にする。
【００８８】
同様に、Ｘ線ビームの生成についての上記説明の金属電子アンテナ素子を、可視光放出物質（燐光発光物質や蛍光発光物質等）を備えるアンテナ素子に置換することによって、可視光の生成が可能となる。可視光ビームの焦点の改善は、Ｘ線ビームと同様の利点を有する。固体アンテナベースに機械的に固定されて動かない電子アンテナ素子によって集束スポットサイズが決定されることによって、ドリフトの無い集束スポットが保証される。また、アンテナ素子の形状及びそのアンテナベースに対する大きな接触面積が優れた熱管理解決策を提供する。上記電子アンテナの使用は、その結果のマイクロ焦点管を、従来はマクロ焦点管が支配的であった応用において使用することを可能にする。
【００８９】
本開示の例示的実施形態の説明は例示目的のものである。その説明は包括的なものではなく、開示されている厳密な形態に例示的実施形態を限定するものでもなく、修正や変更が、上記教示を考慮して可能なものであり、又は与えられている実施形態に対する多様な代替例の実践から得られるものであり得る。本願で検討されている例は、多様な例示的実施形態の原理及び特性とその実際の応用を説明して、当業者が多様な方法において、また想定している特定の使用に合うように多様な修正を行って例示的実施形態を利用することができるようにするために選択されて説明されているものである。本開示の実施形態の特徴は、方法、装置、モジュール、システム及びコンピュータプログラム製品の全ての可能な組み合わせにおいて組み合わせ可能である。本開示の複数の例示的実施形態は互いにあらゆる組み合わせにおいて実施可能であることを理解されたい。
【００９０】
「備える」との用語は、列挙されている以外の他の要素やステップの存在を必ずしも排除するものではなく、また、単数形で記載の要素は、そのような要素が複数存在することを排除するものではない。更に、参照符号は特許請求の範囲を制限するものではないこと、例示的実施形態をハードウェア及びソフトウェアの両方を用いて少なくとも部分的に実施することができること、複数の「手段」や「ユニット」や「デバイス」が、同じ項目のハードウェアによって表され得ることに留意されたい。
【００９１】
図面及び明細書には例示的実施形態が開示されている。しかしながら、そうした実施形態に多くの変更や修正を行うことができる。従って、具体的な用語が用いられているが、それら用語は汎用的で説明的な意味合いのみで用いられているものであって、限定目的のものではなく、実施形態の範囲は添付の特許請求の範囲によって定められるものである。
【符号の説明】
【００９２】
０２００、０３００、０３３５、０６２０、０７２０、１１０５、１１２０、１１３０  アンテナ素子
０３２０、０３４５、０６３０、０７３０、１１１０、１１１５  アンテナベース
【図１Ａ】
2020181832.tif 000003
【図１Ｂ】
2020181832.tif 000004
【図１Ｃ】
2020181832.tif 000005
【図２】
2020181832.tif 000006
【図３Ａ】
2020181832.tif 000007
【図３Ｂ】
2020181832.tif 000008
【図４】
2020181832.tif 000009
【図５】
2020181832.tif 000010
【図６】
2020181832.tif 000011
【図７】
2020181832.tif 000012
【図８】
2020181832.tif 000013
【図９】
2020181832.tif 000014
【図１０】
2020181832.tif 000015
【図１１Ａ】
2020181832.tif 000016
【図１１Ｂ】
2020181832.tif 000017
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
Ｘ線管用のアノードであって、前記アノードが、アンテナ素子（０２００、０３００、０３３５、０６２０、０７２０、１１０５、１１２０、１１３０）及びアンテナベース（０３２０、０３４５、０６３０、０７３０、１１１０、１１１５）を備える電子アンテナを備え、前記アンテナ素子（０２００、０３００、０３３５、０６２０、０７２０、１１０５、１１２０、１１３０）が前記アンテナベース（０３２０、０３４５、０６３０、０７３０、１１１０、１１１５）の上に位置し、前記電子アンテナ（０２００、０３００、０３３５、０６２０、０７２０、１１０５、１１２０、１１３０）が、通常の固定アノードＸ線管又は回転アノードＸ線管と同じカソードカップに対する空間的関係で構成されていて、前記アンテナ素子（０２００、０３００、０３３５、０６２０、０７２０、１１０５、１１２０、１１３０）の上部が前記アンテナベース（０３２０、０３４５、０６３０、０７３０、１１１０、１１１５）の前面に平行に突出してして、前記アンテナ素子（０２００、０３００、０３３５、０６２０、０７２０、１１０５、１１２０、１１３０）の突出及び前記アンテナ素子（０２００、０３００、０３３５、０６２０、０７２０、１１０５、１１２０、１１３０）のアスペクト比が、前記アンテナ素子（０２００、０３００、０３３５、０６２０、０７２０、１１０５、１１２０、１１３０）の上端に電場の局所的な増強を生じさせ、前記アンテナベース（０３２０、０３４５、０６３０、０７３０、１１１０、１１１５）からの前記アンテナ素子（０２００、０３００、０３３５、０６２０、０７２０、１１０５、１１２０、１１３０）の突出の高さｈが１μｍ〜５ｍｍであり、前記アンテナ素子（０２００、０３００、０３３５、０６２０、０７２０、１１０５、１１２０、１１３０）の上面（０２１０）が５°〜４５°のアノード角度θを有することを特徴とするアノード。
【請求項２】
前記電子アンテナが、ブレードの形状のアンテナ素子（０２００、０３００、０３３５、０６２０、０７２０、１１０５、１１２０、１１３０）を備え、前記ブレードの上面の形状が十字（０４１０）、正方形（０４４０）、長方形（０４５０）、線形セグメント（０４６０、０４７０、０４８０）、楕円ディスク（０４３０）、又は円形ディスク（０４２０）である、請求項１に記載のアノード。
【請求項３】
高さｈを幅ｔで割ったものとして定義される前記ブレードのアスペクト比が１０〜１００の範囲内である、請求項２に記載のアノード。
【請求項４】
前記ブレードの幅ｔ、前記十字（０４１０）の縦幅ｔ、前記長方形（０４５０）の長辺、前記正方形（０４４０）の辺、又は線形セグメント（０４６０、０４７０、０４８０）形状が１０ｎｍ〜２００μｍである、請求項２又は３に記載のアノード。
【請求項５】
前記円形ディスク（０４２０）が２００μｍ以下の半径Ｒを有するか、又は、前記楕円ディスク（０４３０）が２００μｍ以下の軌道長半径ｒを有する、請求項２又は３に記載のアノード。
【請求項６】
前記電子アンテナが、単一又は複数のマイクロ焦点又はナノ焦点Ｘ線ビームを発生させるための真空管のアノードの代わりとして機能し、前記アンテナ素子（０２００、０３００、０３３５、０６２０、０７２０、１１０５、１１２０、１１３０）が金属性であり、Ｗ、Ｒｈ、Ｍｏ、Ｃｕ、Ｃｏ、Ｆｅ、Ｃｒ及びＳｃのうち一種以上の金属、又は、Ｗ‐Ｒｅ、Ｗ‐Ｍｏ、Ｍｏ‐Ｆｅ、Ｃｒ‐Ｃｏ、Ｆｅ‐Ａｇ及びＣｏ‐Ｃｕ‐Ｆｅのうち一種以上の合金を備える、請求項１から５のいずれか一項に記載のアノード。
【請求項７】
前記アンテナベース（０３２０、０３４５、０６３０、０７３０、１１１０、１１１５）が、Ｃｕ及びＭｏのうち一種以上の導電性物質を備える、請求項１から６のいずれか一項に記載のアノード。
【請求項８】
前記アンテナベース（０３２０、０３４５、０６３０、０７３０、１１１０、１１１５）が電気絶縁性物質を備え、複数のアンテナ素子が前記アンテナベース（０３２０、０３４５、０６３０、０７３０、１１１０、１１１５）の上に位置している、請求項１から６のいずれか一項に記載のアノード。
【請求項９】
前記電気絶縁性物質がＢＮ及びＡｌ２Ｏ３のうち一種以上である、請求項８に記載のアノード。
【請求項１０】
金属性のアンテナ素子（０２００、０３００、０３３５）がタングステンブレードであり、前記アンテナベース（０３２０、０３４５）が二つの半シリンダ状銅部分（０３１０）を備え、前記タングステンブレードが前記二つの半シリンダ状銅部分（０３１０）の間に挟まれていて、前記タングステンブレードの第一ブレード端が銅シリンダ（０３３０）の前面から突出している、請求項１から７のいずれか一項に記載のアノード。
【請求項１１】
請求項１から１０のいずれか一項に記載のアノードを備えるＸ線発生デバイス。
【請求項１２】
ホットフィラメントカソード（０１１０）を用いた単一のホットカソードマイクロ焦点又はナノ焦点管である請求項１１に記載のＸ線発生デバイス。
【請求項１３】
電界放出カソード（０８１０）を用いた単一の電界放出カソードマイクロ焦点又はナノ焦点管である請求項１１に記載のＸ線発生デバイス。
【請求項１４】
電界放出カソード（０８１０）及びホットフィラメントカソード（０１１０）を保持するカソードアセンブリ（０９１０）を用いた二重カソードマイクロ焦点又はナノ焦点管である請求項１１に記載のＸ線発生デバイス。
【請求項１５】
ゲート電極（１０１０）を備える電子エミッタを更に備えることによって、三極電界放出マイクロ焦点又はナノ焦点管となっている請求項１４に記載のＸ線発生デバイス。
【請求項１６】
前記電界放出カソード（０８１０）が、ショットキー放出等の熱アシスト放出を可能にするように更に構成されている、請求項１３から１５のいずれか一項に記載のＸ線発生デバイス。
【請求項１７】
絶縁性アンテナベースを用いた複数のカソード及びアノードを備える複数の励起源を有するマイクロ焦点又はナノ焦点管である請求項１１に記載のＸ線発生デバイス。
【請求項１８】
前記Ｘ線発生デバイスが回転アノードマイクロ焦点又はナノ焦点管であり、一つ以上のアンテナ素子（１１０５、１１２０、１１３０）が回転アンテナベースディスク（１１１０、１１１５）に同心円状に埋め込まれている、請求項１１に記載のＸ線発生デバイス。
【請求項１９】
前記Ｘ線発生デバイスが回転アノードマイクロ焦点又はナノ焦点管であり、複数のアンテナ素子（１１０５、１１２０、１１３０）が回転アンテナベースディスク（１１１０、１１１５）に半径方向に埋め込まれている、請求項１１に記載のＸ線発生デバイス。
【請求項２０】
Ｘ線セキュリティスキャン装置における、コンピュータトモグラフィスキャン装置における、Ｃアーム型スキャン装置における、小型Ｃアーム型スキャン装置における、地質調査装置における、Ｘ線回折装置における、Ｘ線蛍光発光分光法における、Ｘ線非破壊検査装置における、位相コントラストイメージングにおける、又はカラーコンピュータトモグラフィスキャナにおける請求項１１から１９のいずれか一項に記載のＸ線発生デバイスの使用。
【外国語明細書】
2020181832000001.pdf